(57)【要約】【課題】小型化を図ることができるハーネス部品を提供する。【解決手段】複数の雄端子２とハウジング３と複数の雌端子４とホルダ５とを備える。ハウジング３は、複数の貫通孔３１、及び複数の端子収容穴３２を有する。貫通孔３１には、雄端子２が貫通している。端子収容穴３２は、貫通孔３１に連通するとともに貫通孔３１と反対側に開口部３２１を備えている。複数の雌端子４は、各開口部３２１から各端子収容穴３２に挿入配置され、各雄端子２に電気的に接続されている。ホルダ５は、各雌端子４における雄端子２が配された側と反対側の端部に当接している。ホルダ５は、ハウジング３に嵌合されている。【選択図】図３
2020095898.tif 000002
【特許請求の範囲】
【請求項１】
複数の雄端子と、
前記各雄端子が貫通する複数の貫通孔、及び前記各貫通孔に連通するとともに前記貫通孔と反対側に開口部を備えた複数の端子収容穴を有するハウジングと、
前記各開口部から前記各端子収容穴に挿入配置され、前記各雄端子に電気的に接続された複数の雌端子と、
前記各雌端子における前記雄端子が配された側と反対側の端部に当接するとともに、前記ハウジングに嵌合されるホルダと、を備えるハーネス部品。
【請求項２】
前記雌端子には、電線が接続されており、前記ホルダには、前記各電線を挿入する挿入孔が形成されている、請求項１に記載のハーネス部品。
【請求項３】
前記ホルダには、前記各雌端子における前記雄端子が配された側と反対側の端部に向かって突出するとともに、前記各雌端子の前記端部に当接する複数の突起部が形成されている、請求項１又は２に記載のハーネス部品。
【請求項４】
前記ホルダは、前記ハウジングに対して前記端子収容穴における前記開口部が形成された側から対向するホルダ対向壁と、前記ホルダ対向壁の両端から前記ハウジング側に延設されるとともに前記ハウジングに係合されるホルダロック部と、を有し、前記ハウジングは、隣り合う前記雌端子の間に、前記ホルダ対向壁側に突出するとともに、前記ホルダ対向壁と対向するハウジング突出部を有する、請求項１〜３のいずれか一項に記載のハーネス部品。
【請求項５】
前記雄端子は、前記ハウジングの前記貫通孔に、前記端子収容穴における前記開口部が形成された側と反対側から圧入されており、前記雌端子は、前記ハウジングの前記開口部から前記端子収容穴に挿入されている、請求項１〜４のいずれか一項に記載のハーネス部品。
【発明の詳細な説明】
【技術分野】
【０００１】
本発明は、ハーネス部品に関する。
【背景技術】
【０００２】
特許文献１に記載のハーネス部品は、回路基板の厚み方向における一方側に実装される雄コネクタと、雄コネクタに嵌合された雌コネクタとを備える。
【０００３】
雄コネクタは、回路基板のスルーホールに電気的に接続される複数の雄端子と、複数の雄端子を収容する電気的絶縁性を有する樹脂等からなる雄ハウジングとを備える。雄ハウジングは、回路基板側の反対側に開口する有底筒状のコネクタ嵌合部を備える。コネクタ嵌合部には、その開放側から雌コネクタが嵌合される。また、雄端子は、コネクタ嵌合部の底壁に対して、前記開放側から圧入されており、雄端子の一部である電気接触部が、コネクタ嵌合部の内側に突出している。
【０００４】
雄コネクタのコネクタ嵌合部の内側に雌コネクタが嵌合されることで、電気接触部と雌コネクタの雌端子とが電気的に接続される。
【先行技術文献】
【特許文献】
【０００５】
【特許文献１】特開２００２−２１６８７０号公報
【発明の概要】
【発明が解決しようとする課題】
【０００６】
前記雌コネクタは、複数の雄端子のそれぞれに電気的に接続される複数の雌端子と、複数の雌端子のそれぞれを挿入して収容する複数の挿入穴を備えた、電気的絶縁性を有する雌ハウジングとを備えるものが考えられる。しかしながら、雌ハウジングは、複数の雌端子のそれぞれを収容する複数の挿入穴を形成する必要があり、大型化を招きやすい。
【０００７】
本発明は、かかる課題に鑑みてなされたものであり、小型化を図ることができるハーネス部品を提供しようとするものである。
【課題を解決するための手段】
【０００８】
本発明の一態様は、複数の雄端子と、
前記各雄端子が貫通する複数の貫通孔、及び前記各貫通孔に連通するとともに前記貫通孔と反対側に開口部を備えた複数の端子収容穴を有するハウジングと、
前記各開口部から前記各端子収容穴に挿入配置され、前記各雄端子に電気的に接続された複数の雌端子と、
前記各雌端子における前記雄端子が配された側と反対側の端部に当接するとともに、前記ハウジングに嵌合されるホルダと、を備えるハーネス部品にある。
【発明の効果】
【０００９】
前記態様のハーネス部品において、各開口部から各端子収容穴に雌端子が挿入配置されている。そして、ハーネス部品は、ホルダを備える。ホルダは、各雌端子における雄端子が配された側と反対側の端部に当接するとともに、ハウジングに嵌合される。それゆえ、ハウジングに嵌合されたホルダにより、端子収容穴に挿入された雌端子が押さえられ、端子収容穴からの雌端子の抜け落ちが防止される。そのため、ホルダを、例えば複数の雌端子のそれぞれを挿入する複数の挿入穴を備えるハウジング部材のような形状にする必要がなく、ホルダの小型化、ひいてはハーネス部品全体の小型化を実現しやすい。
【００１０】
また、雄端子と雌端子とは、各端子収容穴内において接続される。それゆえ、雄端子を貫通孔から端子収容穴内に配するとともに、雌端子を開口部から端子収容穴内に挿入することで、ハウジングに対する雄端子及び雌端子の位置決めが容易である。また、複数の雌端子は、一つずつハウジングの各端子収容穴に挿入されて雄端子と接続されることとなるため、雌端子をハウジングに組み付ける際の雌端子のガタ付きが防止される。それゆえ、ハーネス部品の生産性を向上させやすい。
【００１１】
以上のごとく、前記態様によれば、小型化を図ることができるハーネス部品を提供することができる。
【図面の簡単な説明】
【００１２】
【図１】実施形態１における、ハーネス部品の斜視図。
【図２】実施形態１における、ハーネス部品の平面図。
【図３】図２の、III−III線矢視断面図。
【図４】実施形態１における、ハーネス部品の背面図。
【図５】実施形態１における、ハウジングの平面図。
【図６】実施形態１における、ホルダの平面図。
【図７】実施形態１における、ホルダの正面図。
【図８】実施形態１における、ホルダの突起部周辺を拡大した正面図。
【図９】実施形態１における、ハーネス部品の作用効果を説明する断面図であって、ハウジングに対して、先に雄端子を組み付け、次に雌端子を組み付ける様子を示す図。
【図１０】実施形態１における、ハーネス部品の作用効果を説明する断面図であって、ハウジングに対して、先に雌端子を組み付け、次に雄端子を組み付ける様子を示す図。
【図１１】実施形態２における、ホルダの突起部周辺を拡大した正面図。
【発明を実施するための形態】
【００１３】
（実施形態１）
ハーネス部品の実施形態につき、図１〜図１０を用いて説明する。
本実施形態のハーネス部品１は、図１〜図３に示すごとく、複数の雄端子２とハウジング３と複数の雌端子４とホルダ５とを備える。
【００１４】
図５に示すごとく、ハウジング３は、複数の貫通孔３１、及び複数の端子収容穴３２を有する。図３に示すごとく、貫通孔３１には、雄端子２が貫通している。端子収容穴３２は、貫通孔３１に連通するとともに貫通孔３１と反対側に開口部３２１を備えている。
【００１５】
複数の雌端子４は、各開口部３２１から各端子収容穴３２に挿入配置され、各雄端子２に電気的に接続されている。
【００１６】
図３に示すごとく、ホルダ５は、各雌端子４における雄端子２が配された側と反対側の端部に当接している。図１、図２に示すごとく、ホルダ５は、ハウジング３に嵌合されている。
以後、本実施形態につき詳説する。
【００１７】
以後、端子収容穴３２の形成方向（軸方向）をＸ方向という。Ｘ方向において、端子収容穴３２における開口部３２１が形成された側をＸ１側といい、端子収容穴３２における貫通孔３１が形成された側をＸ２側という。また、Ｘ方向は、ハウジング３とホルダ５との並び方向であり、ハウジング３に対してホルダ５が位置する側がＸ１側であり、ホルダ５に対してハウジング３が位置する側がＸ２側である。
【００１８】
図３に示すごとく、ハーネス部品１は、複数の雄端子２におけるハウジング３から突出した部位が回路基板１１に接続され、各雌端子４に接続された複数の電線６が図示しない制御装置等の電子機器に接続されることで、回路基板１１と電子機器との間を電気的に中継する。
【００１９】
ハウジング３は、電気的絶縁性を有する樹脂からなる。図１に示すごとく、ハウジング３は、Ｘ方向に直交するＺ方向に厚みを有する直方体状に形成されている。図３、図５に示すごとく、ハウジング３は、Ｘ１側の面がＸ２側に向かって凹むようにして形成された端子収容穴３２を４つ有する。
【００２０】
図５に示すごとく、４つの端子収容穴３２は、Ｘ方向とＺ方向との双方に直交するＹ方向に、等間隔で並んでいる。Ｘ方向において、端子収容穴３２は、ハウジング３における略全体に形成されている。図３に示すごとく、端子収容穴３２は、その内側空間をＸ１側に開放する開口部３２１をＸ１側端部に有する。また、端子収容穴３２の内側空間におけるＸ２側に配されたハウジング３の壁部に、貫通孔３１が形成されている。
【００２１】
雄端子２は、ハウジング３の貫通孔３１に、Ｘ２側から圧入されており、雌端子４は、ハウジング３の開口部３２１から端子収容穴３２に挿入されている。すなわち、ハウジング３に対する雄端子２の組付向き（Ｘ１側）と、ハウジング３に対する雌端子４の組付向き（Ｘ２側）とは、反対方向である。
【００２２】
図２、図３に示すごとく、ハウジング３は、端子収容穴３２に挿入された雌端子４の間に、ホルダ５の後述のホルダ対向壁５１側に突出するとともにホルダ対向壁５１とＸ方向に対向するハウジング突出部３３を有する。図２、図５に示すごとく、Ｚ方向から見たとき、ハウジング突出部３３は、ハウジング３におけるハウジング突出部３３の周囲よりもＸ１側に突出している。図２に示すごとく、ハウジング突出部３３のＸ１側端面は、ホルダ対向壁５１のＸ２側の面に当接している。
【００２３】
図５に示すごとく、ハウジング突出部３３は、Ｙ方向において、端子収容穴３２の開口部３２１に対してずれた位置に配されている。ハウジング突出部３３は、Ｙ方向における各開口部３２１の両側に隣接するよう形成されている。
【００２４】
図３に示すごとく、Ｚ方向において、ハウジング突出部３３は、端子収容穴３２よりも長く、ハウジング突出部３３の両端部は、端子収容穴３２のＺ方向の両側に突出している。これにより、隣接する雌端子４間の電気的絶縁を確保しやすくしている。
【００２５】
図１、図２、図５に示すごとく、ハウジング３のＹ方向の両面におけるＸ１側端部には、ハウジングロック部３４が形成されている。ハウジングロック部３４は、Ｙ方向におけるハウジング３の外側に向かうよう突出している。図１、図２に示すごとく、ハウジングロック部３４は、ホルダ５を係合保持している。
【００２６】
ホルダ５は、電気的絶縁性を有する樹脂からなる。図１、図２に示すごとく、ホルダ５は、全体がハウジング３の外側に配されている。すなわち、ホルダ５は、例えばハウジング３の端子収容穴３２内に挿入された部位を有さない。
【００２７】
図１、図２、図６、図７に示すごとく、ホルダ５は、ハウジング３に対してＸ１側から対向するホルダ対向壁５１と、Ｙ方向におけるホルダ対向壁５１の両端からハウジング３側に延設されるとともにハウジング３に係合されるホルダロック部５２とを有する。
【００２８】
図６、図７に示すごとく、ホルダ対向壁５１は、Ｙ方向に長尺でＸ方向に厚みを有する板状に形成されている。図３、図４に示すごとく、ホルダ対向壁５１には、各電線６を挿入する４つの挿入孔５１１が形成されている。挿入孔５１１は、ホルダ対向壁５１をＸ方向に貫通するよう円形に形成されている。挿入孔５１１は、電線６の外径よりも若干大きい内径を有する。
【００２９】
図２、図３、図６に示すごとく、ホルダ対向壁５１には、前記各雌端子４のＸ１側の端部に向かって突出するとともに、各雌端子４のＸ１側の端部に当接する複数の突起部５１２が形成されている。図７に示すごとく、突起部５１２は、挿入孔５１１の全周からＸ２側に突出するよう円筒状に形成されている。突起部５１２の内側に挿入孔５１１が形成されている。
【００３０】
図８に示すごとく、突起部５１２は、雌端子４のＸ１側端面とＸ方向に重なるよう形成されている。なお、図８においては、Ｘ方向から見たときの雌端子４のＸ１側端面の外形を破線で表している。突起部５１２のＸ２側端面は、雌端子４のＸ１側端面（具体的には、後述の第二かしめ部４２２のＸ１側端面）と当接している。図２、図３に示すごとく、４つの突起部５１２は、端子収容穴３２よりもＸ１側に配されている。すなわち、突起部５１２は、端子収容穴３２内には挿入されていない。
【００３１】
図１、図２、図６に示すごとく、ホルダ対向壁５１のＹ方向の両端は、ハウジング３のＸ１側の端面よりもＹ方向の両外側に突出しており、ホルダ対向壁５１の両端からＸ２側にホルダロック部５２が形成されている。
【００３２】
図１、図２に示すごとく、一対のホルダロック部５２は、ハウジング３におけるＹ方向の両外側に配されている。ホルダロック部５２は、Ｘ方向に長尺でＹ方向に厚みを有する板状に形成されている。ホルダロック部５２は、Ｙ方向に撓むことができるよう形成されている。
【００３３】
図１、図２、図６に示すごとく、ホルダロック部５２は、Ｙ方向に貫通形成されたホルダ係合穴５２１を有する。図１、図２に示すごとく、ホルダ係合穴５２１の内側に、ハウジングロック部３４が配されることで、ホルダ係合穴５２１とハウジングロック部３４とが互いに係合している。
【００３４】
ホルダ５をハウジング３に取り付ける際には、ホルダ５とハウジング３とをＸ方向に近付ける。このとき、ホルダ５の一対のホルダロック部５２をＹ方向の外側に弾性変形させる。そして、一対のホルダロック部５２におけるホルダ係合穴５２１よりもＸ２側の部位がハウジングロック部３４を乗り越えるまで、ホルダ５をハウジング３に押し込む。
【００３５】
ホルダロック部５２のホルダ係合穴５２１よりもＸ２側の部位がハウジングロック部３４を乗り越えると、一対のホルダロック部５２は、弾性的な復元力によりＹ方向の内側に向かうよう変形し、撓む前の元の形状に復元される。これにより、ホルダ係合穴５２１の内側にハウジングロック部３４が配され、ホルダ係合穴５２１とハウジングロック部３４とが係合し、ホルダ５がハウジング３に固定される。
【００３６】
ホルダ係合穴５２１がハウジングロック部３４に係合した後、ホルダ５をさらにハウジング３側に押し込んだ場合、ホルダロック部５２がハウジング突出部３３に当接する。これにより、ホルダ５がハウジング３に押し込まれ過ぎないよう構成されている。そのため、ハウジングロック部３４がホルダ５のホルダロック部５２における係合穴のＸ１側の部位に入り込むことに起因して、一対のホルダ５がＹ方向の両外側に過度に広がってしまうことを防止できる。
【００３７】
図１、図２に示すごとく、ハウジング３のＸ２側の端部には、ハウジング３のＸ２側の面がＸ１側に凹んでなるハウジング溝部３５が形成されている。ハウジング溝部３５は、Ｘ方向における隣り合う雄端子２の間に形成されている。ハウジング溝部３５は、Ｚ方向におけるハウジング３の一端から他端までにわたって形成されており、Ｚ方向の両側が開放されている。ハウジング溝部３５により、Ｘ方向に隣り合う雄端子２間の沿面距離を稼ぐことができる。
【００３８】
図１、図３に示すごとく、雄端子２は、ピン状（柱状）の金属材料をＬ字状に折り曲げた形状を有する。すなわち、雄端子２は、Ｘ方向にまっすぐ形成されるとともにＸ１側の端部が貫通孔３１から端子収容穴３２内に挿入された第一端子部２１と、第一端子部２１のＸ２側端部からＺ方向の一方側に延設されるとともに、回路基板１１に接続される第二端子部２２とを有する。
【００３９】
雄端子２は、少なくとも回路基板１１に接続される第二端子部２２の長手方向に直交する断面が、凸多角形又は円形である。凸多角形とは、すべての内角がそれぞれ１８０°未満である多角形を意味する。本実施形態において、雄端子２は、略全体において、雄端子２の長手方向に直交する断面形状が正方形である。
【００４０】
図３に示すごとく、雄端子２の第二端子部２２は、回路基板１１のスルーホールに対してＺ方向に挿入されるとともにスルーホールとはんだ付けにより接合される。これにより、雄端子２と回路基板１１とが電気的に接続される。
【００４１】
図３に示すごとく、雌端子４は、筒状部４１とかしめ部４２とを備える。筒状部４１は、板状の導電部材を矩形筒状に形成してなる。筒状部４１は、Ｘ２側の端部から筒状部４１の内側に雄端子２を挿入できるよう構成されている。
【００４２】
図３に示すごとく、筒状部４１には、Ｚ方向における雄端子２側に向かって隆起するとともに雄端子２に接触する隆起部４１１と、隆起部４１１に対向するとともに、隆起部４１１の反対側から雄端子２に弾性接触する弾性接触片４１２とが形成されている。
【００４３】
弾性接触片４１２は、Ｚ方向に弾性的に撓むことができるよう構成されている。弾性接触片４１２は、筒状部４１の内側に雄端子２が挿入されると、当該雄端子２に押されてＺ方向における隆起部４１１と反対側に撓む。これにより、雄端子２は、隆起部４１１と弾性接触片４１２との間に弾性的に挟持される。そして、雄端子２は、隆起部４１１と弾性接触片４１２との間に弾性的に挟持された状態において、筒状部４１に対してＸ方向に摺動可能に構成されている。すなわち、雄端子２は、筒状部４１に対して固着されていない。
【００４４】
図３に示すごとく、かしめ部４２は、電線６の端部をかしめている。電線６は、導電性を有する導電部６１と、導電部６１を被覆する電気的絶縁性を有する被覆部６２とを有する。電線６の端部は、導電部６１が被覆部６２から露出した露出導電部６１１となっている。かしめ部４２は、露出導電部６１１にかしめられる第一かしめ部４２１と、第一かしめ部４２１のＸ１側に形成されて、被覆部６２の端部にかしめられる第二かしめ部４２２とを備える。
【００４５】
図３に示すごとく、電線６は、被覆部６２における、第二かしめ部４２２にかしめられた部位にＸ１側に隣接する部位がホルダ５の挿入孔５１１に挿入されている。
【００４６】
次に、本実施形態の作用効果につき説明する。
本実施形態のハーネス部品１において、各開口部３２１から各端子収容穴３２に雌端子４が挿入配置されている。そして、ハーネス部品１は、ホルダ５を備える。ホルダ５は、各雌端子４における雄端子２が配された側と反対側の端部に当接するとともに、ハウジング３に嵌合される。それゆえ、ハウジング３に嵌合されたホルダ５により、端子収容穴３２に挿入された雌端子４が押さえられ、端子収容穴３２からの雌端子４の抜け落ちが防止される。そのため、ホルダ５を、例えば複数の雌端子４のそれぞれを挿入する複数の挿入穴（端子収容穴３２のようなもの）を備えるハウジング部材のような形状にする必要がなく、ホルダ５の小型化、ひいてはハーネス部品１全体の小型化を実現しやすい。
【００４７】
また、雄端子２と雌端子４とは、各端子収容穴３２内において接続される。それゆえ、雄端子２を貫通孔３１から端子収容穴３２内に配するとともに、雌端子４を開口部３２１から端子収容穴３２内に挿入することで、ハウジング３に対する雄端子２及び雌端子４の位置決めが容易である。また、複数の雌端子４は、一つずつハウジング３の各端子収容穴３２に挿入されて雄端子２と接続されることとなるため、雌端子４をハウジング３に組み付ける際の雌端子４のガタ付きが防止される。それゆえ、ハーネス部品１の生産性を向上させやすい。
【００４８】
また、ホルダ５には、各電線６を挿入する挿入孔５１１が形成されている。それゆえ、ハウジング３の端子収容穴３２に配された雌端子４に接続された電線６を、ハウジング３及びホルダ５から引き出しやすい。
【００４９】
また、ホルダ５には、各雌端子４における雄端子２が配された側と反対側の端部に向かって突出するとともに、各雌端子４の端部に当接する複数の突起部５１２が形成されている。それゆえ、突起部５１２のＸ方向の突出長さを調整することで、ホルダ５をハウジング３に組み付ける際、突起部５１２によって雌端子４を所定位置まで押すことができる。これにより、雌端子４と雄端子２とを確実に接続させることができる。
【００５０】
また、ハウジング３は、隣り合う雌端子４の間に、ホルダ対向壁５１側に突出するハウジング突出部３３を有する。それゆえ、互いに隣り合う端子収容穴３２内に配された雌端子４の間や電線６の間の沿面距離を確保することができ、これらの間の電気的絶縁性を確保することができる。
【００５１】
さらに、ハウジング突出部３３のＸ１側の端部は、ホルダ対向壁５１とＸ方向に対向している。それゆえ、ハウジング３にホルダ５を嵌合させる際、ホルダ５が所定位置よりもハウジング３のＸ２側に押し込まれようとした場合、ハウジング突出部３３とホルダ対向壁５１とが干渉することでハウジング３に対するホルダ５の押し込みが制限される。これにより、前述のごとく、ハウジングロック部３４がホルダ５のホルダロック部５２における係合穴のＸ１側の部位に入り込むことに起因して、一対のホルダ５がＹ方向の両外側に過度に広がってしまうことを防止できる。
【００５２】
また、雄端子２は、ハウジング３の貫通孔３１に、端子収容穴３２における開口部３２１が形成された側と反対側から圧入されており、雌端子４は、ハウジング３の開口部３２１から端子収容穴３２に挿入されている。つまり、ハウジング３に対する雄端子２の組付向き（Ｘ１側）と、ハウジング３に対する雌端子４の組付向き（Ｘ２側）とは、反対方向である。それゆえ、ハーネス部品１を組み付けるに当たっては、図９に示すごとく、貫通孔３１に雄端子２を圧入し、次に端子収容穴３２に開口部３２１から雌端子４を組み付けることも可能であるし、図１０に示すごとく、端子収容穴３２に対して開口部３２１から雌端子４を組み付け、次に貫通孔３１に雄端子２を圧入することも可能である。そのため、ハーネス部品１の組付工程の自由度を向上させることができる。また、圧入により雄端子２を貫通孔３１に固定しているため、別途雄端子２をハウジング３に固定する機構を設ける必要がない。それゆえ、ハーネス部品１の生産性を向上させやすい。
【００５３】
また、雄端子２における回路基板１１にはんだ付けされる第二端子部２２は、第二端子部２２の長手方向に直交する断面の形状が凸多角形又は円形である。それゆえ、例えば第二端子部２２を、板状の金属部材を、断面Ｕ字状となるよう折り曲げてなるタブ状の端子に形成した場合に比べ、はんだにボイドが形成されることを防止できる。すなわち、第二端子部２２をタブ状に形成した場合、断面Ｕ字状の第二端子部２２に囲まれた空間に空気が残り、はんだにボイドが生じやすい。一方、第二端子部２２を断面が凸多角形又は円形となるよう形成することで、Ｘ方向に直交する第二端子部２２の断面に、第二端子部２２に囲まれる空間が形成されないため、はんだにボイドが生じることを抑制することができる。
【００５４】
以上のごとく、本実施形態によれば、小型化を図ることができるハーネス部品を提供することができる。
【００５５】
（実施形態２）
本実施形態は、図１１に示すごとく、実施形態１に対して、ホルダ５の突起部５１２の形状を変更した実施形態である。
【００５６】
本実施形態においては、突起部５１２は、各挿入孔５１１の周囲４か所に形成されている。前記４か所の突起部５１２は、挿入孔５１１の周方向に等間隔に配されている。そして、突起部５１２は、少なくとも雌端子４のＸ１側の端面における四隅に当接している。
【００５７】
その他は、実施形態１と同様である。
なお、実施形態２以降において用いた符号のうち、既出の実施形態において用いた符号と同一のものは、特に示さない限り、既出の実施形態におけるものと同様の構成要素等を表す。
【００５８】
本実施形態においても、実施形態１と同様の作用効果を有する。
【００５９】
本発明は、前記各実施形態に限定されるものではなく、その要旨を逸脱しない範囲において種々の実施形態に適用することが可能である。例えば、雄端子における雌端子に接続される側と反対側は、ピン状に形成し、回路基板のスルーホールに接続する構成としたが、これに限られず、例えば電線をかしめるような形状に形成してもよい。また、雌端子における雄端子に接続される側と反対側は、電線をかしめるよう構成しているが、これに限られず、例えばピン状に形成してもよい。
【符号の説明】
【００６０】
１  ハーネス部品
２  雄端子
３  ハウジング
３１  貫通孔
３２  端子収容穴
３２１  開口部
３３  ハウジング突出部
４  雌端子
５  ホルダ
５１  ホルダ対向壁
５１１  挿入孔
５１２  突起部
５２  ホルダロック部
【図１】
2020095898.tif 000003
【図２】
2020095898.tif 000004
【図３】
2020095898.tif 000005
【図４】
2020095898.tif 000006
【図５】
2020095898.tif 000007
【図６】
2020095898.tif 000008
【図７】
2020095898.tif 000009
【図８】
2020095898.tif 000010
【図９】
2020095898.tif 000011
【図１０】
2020095898.tif 000012
【図１１】
2020095898.tif 000013